(57)【特許請求の範囲】
【請求項１】
メモリカードを挿脱可能に収納する第１収納部と、
前記第１収納部にスライド可能に設けられ、着脱操作時に前記メモリカードを覆った状態で、前記メモリカードと共にスライドするカード着脱補助部材と、
を備え、
前記カード着脱補助部材は、前記メモリカードを前記第１収納部から引き出す補助本体部と、前記メモリカードが前記補助本体部と共に前記第１収納部から引き出された際に、前記引き出された側に位置する前記メモリカードの一部を露出させるようにヒンジ部を中心に回転して開く開閉部と、を有し、
前記第１収納部は、所定の開閉蓋で開口部が覆われるとともに所定の深さを有した第２収納部の側面から前記メモリカードを挿脱可能に設けられており、
前記開閉部は、前記第１収納部に対して前記カード着脱補助部材をスライドさせるための引出操作部として孔部が設けられているとともに、前記開口部側に開くように設けられており、
前記孔部は、少なくとも、前記カード着脱補助部材が前記メモリカードと共に前記第１収納部に収納されている状態のときであって前記開口部が前記開閉蓋から開放されている状態のときに、前記開口部側から視認可能な位置に設けられている、
ことを特徴とするカード装着構造。
【請求項２】
請求項１に記載のカード装着構造において、
前記補助本体部は、前記第１収納部内に収納された前記メモリカードの奥端部中央に当接する引出部を有し、
前記開閉部は、前記メモリカードを前記第１収納部内に押し込む押込み部を有している、
ことを特徴とするカード装着構造。
【請求項３】
請求項１または請求項２に記載のカード装着構造において、
前記カード着脱補助部材は、前記補助本体部に対して前記開閉部を開閉方向に回転可能に連結するヒンジ部を形成するためのＶ字形状の溝が、前記メモリカードに対向する側の面に形成されている、
ことを特徴とするカード装着構造。
【請求項４】
請求項１〜請求項３のいずれかに記載のカード装着構造において、
前記カード着脱補助部材は、弾力性を有する樹脂材料で形成されている、
ことを特徴とするカード装着構造。
【請求項５】
請求項１〜請求項４のいずれかに記載のカード装着構造において、
前記カード着脱補助部材のスライド範囲を規制するスライド規制部が、前記メモリカードの上方に位置するように設けられている、
ことを特徴とするカード装着構造。
【請求項６】
請求項１〜請求項５のいずれかに記載されたカード装着構造を備えている、
ことを特徴とする電子機器。
【発明の詳細な説明】
【技術分野】
【０００１】
この発明は、携帯端末機や携帯電話機などの各種の電子機器に用いられるカード装着構造およびそれを備えた電子機器に関する。
【背景技術】
【０００２】
例えば、カード装着構造においては、特許文献１に記載されているように、機器ケース内にメモリカードをスライド可能に収納するカード収納部を設け、このカード収納部に収納されたメモリカードを取り出すために、機器ケース内に指先が挿入するカード開放部を設け、このカード開放部をカード蓋で覆って塞ぐように構成されたものが知られている。
【先行技術文献】
【特許文献】
【０００３】
【特許文献１】特開平０９−１６１４６８号公報
【０００４】
このようなカード装着構造は、機器ケース内のカード収納部からメモリカードを取り外す際に、カード蓋を取り外してカード開放部を開放させることにより、カード収納部に収納されたメモリカードの端部を露呈させ、この露呈したメモリカードの端部を指先で摘まんでカード収納部内からメモリカードを引き出すように構成されている。
【発明の概要】
【発明が解決しようとする課題】
【０００５】
しかしながら、このようなカード装着構造では、メモリカードの端部を指先で摘まむためのカード開放部が必要であるばかりか、指先を挿入するために、カード開放部を十分な大きさに形成する必要がある。このため、装置全体の設置スペースが大きなり、機器ケース内にコンパクトに組み込むことができず、機器ケースが大型化するという問題がある。
【０００６】
この発明が解決しようとする課題は、メモリカードの着脱操作性が良く、装置全体をコンパクトに構成することができるカード装着構造およびそれを備えた電子機器を提供することである。
【課題を解決するための手段】
【０００７】
この発明に係るカード装着構造は、メモリカードを挿脱可能に収納する第１収納部と、前記第１収納部にスライド可能に設けられ、着脱操作時に前記メモリカードを覆った状態で、前記メモリカードと共にスライドするカード着脱補助部材と、を備え、前記カード着脱補助部材は、前記メモリカードを前記第１収納部から引き出す補助本体部と、前記メモリカードが前記補助本体部と共に前記第１収納部から引き出された際に、前記引き出された側に位置する前記メモリカードの一部を露出させるようにヒンジ部を中心に回転して開く開閉部と、を有し、前記第１収納部は、所定の開閉蓋で開口部が覆われるとともに所定の深さを有した第２収納部の側面から前記メモリカードを挿脱可能に設けられており、前記開閉部は、前記第１収納部に対して前記カード着脱補助部材をスライドさせるための引出操作部として孔部が設けられているとともに、前記開口部側に開くように設けられており、前記孔部は、少なくとも、前記カード着脱補助部材が前記メモリカードと共に前記第１収納部に収納されている状態のときであって前記開口部が前記開閉蓋から開放されている状態のときに、前記開口部側から視認可能な位置に設けられている、ことを特徴とする。
【発明の効果】
【０００８】
この発明によれば、メモリカードの着脱操作性が良く、装置全体をコンパクトに構成することができる。
【図面の簡単な説明】
【０００９】
【図１】この発明を携帯端末機に適用した一実施形態を示した正面図である。
【図２】図１に示された携帯端末機の裏面図である。
【図３】図１に示された携帯端末機を上下反転させた状態で、要部を分解して示した斜視図である。
【図４】図２に示された携帯端末機の機器ケースから電池蓋を取り外した状態を示した要部の拡大斜視図である。
【図５】図４に示された機器ケースのＡ−Ａ矢視における要部を示した拡大断面図である。
【図６】図５に示された機器ケース内から充電池を取り外し、カード着脱補助部材を引き出して開閉部を開いた状態を示した要部の拡大断面図である。
【図７】図４に示されたカード装着構造の一部を破断して示した要部の拡大斜視図である。
【図８】図７に示されたカード装着構造を機器ケースの内部側から見て示した要部の拡大斜視図である。
【図９】図７に示されたカード装着構造のカード着脱補助部材を示し、（ａ）はそのカード着脱補助部材を裏面側から見た拡大斜視図、（ｂ）はそのカード着脱補助部材を正面側から見た拡大斜視図である。
【発明を実施するための形態】
【００１０】
以下、図１〜図９を参照して、この発明を携帯端末機に適用した一実施形態について説明する。
この携帯端末機は、図１〜図３に示すように、前後方向（図１では上下方向）に長い長方形状の機器ケース１を備えている。この機器ケース１は、上部ケース２と下部ケース３とを有し、これらの内部にモジュール４が組み込まれるように構成されている。
【００１１】
上部ケース２は、図１〜図３に示すように、上面が長方形のほぼ平板状に形成され、その外周の側面部が下部ケース３に取り付けられるように構成されている。この場合、上部ケース２の上面におけるほぼ上辺側半分には、表示窓部５が設けられており、そのほぼ下辺側半分には、キー入力部６が設けられている。表示窓部５は、上部ケース２の上面にほぼ長方形状に形成されている。キー入力部６は、テンキー、カーソルキー、ファンクションキーなどの携帯端末機に必要な各種のキーを備えている。
【００１２】
下部ケース３は、図２および図３に示すように、その外周の側面部が底部（図３では上面）に向けて円弧状に湾曲して形成され、この側面部の上部（図３では下部）に上部ケース２の側面部の下部（図３では上部）が取り付けられるように構成されている。この下部ケース３の上辺部側には、後述する光学読取部７の読取窓部７ａが設けられている。
【００１３】
また、この下部ケース３の前後方向（図３では斜め左右方向）におけるほぼ中間部には、図２および図３に示すように、外部接続部（図示せず）を開閉可能に塞ぐ接続蓋８が取り付けられている。この下部ケース３の下辺部側には、図２〜図４に示すように、充電池１０ａを収納する電池収納部１０を開閉可能に塞ぐための電池蓋９が着脱可能に取り付けられている。さらに、この下部ケース３の前後方向におけるほぼ中間部に位置する両側部には、スイッチ部１１がそれぞれ設けられている。
【００１４】
モジュール４は、図３に示すように、インナーケース１２を備え、このインナーケース１２に表示パネル１３および回路基板１４などの携帯端末機に必要な各種の部品が搭載されるように構成されている。表示パネル１３は、液晶表示パネルやＥＬ（エレクトロ・ルミネセンス）表示パネルのなどの平面型の表示パネルであり、携帯端末機に必要な各種の情報を電気光学的に表示するように構成されている。
【００１５】
回路基板１４は、図３に示すように、光学読取部７などの携帯端末機に必要な各種の電子部品が設けられ、インナーケース１２の下面（図３では上面）のほぼ全域に亘って配置されるように構成されている。この場合、光学読取部７は、回路基板１４の下面（図３では上面）における上辺部側に配置され、レーザ光線を下部ケース３の読取窓部７ａから機器ケース１の外部に出射させ、この出射されたレーザ光線の反射光を受光することにより、物品のバーコードなどを読み取るように構成されている。
【００１６】
ところで、この機器ケース１内には、図４〜図６に示すように、カード装着構造１５が電池収納部１０に隣接した状態で配置されている。このカード装着構造１５は、メモリカード１６を挿脱可能に収納するカード収納部１７と、このカード収納部１７にスライド可能に設けられ、かつカード収納部１７に収納されたメモリカード１６を覆った状態で、メモリカード１６と共にスライドするカード着脱補助部材１８と、を備えている。
【００１７】
この場合、電池収納部１０は、図４に示すように、機器ケース１内における下辺部側に設けられている。この電池収納部１０が位置する下部ケース３には、充電池１０ａが挿入する電池挿入口３ａが電池蓋９に対応して設けられている。この電池挿入口３ａにおける前後方向の各縁部には、充電池１０ａを電池収納部１０内に押える電池押え部３ｂが設けられている。
【００１８】
メモリカード１６は、図９（ｂ）に２点鎖線で示すように、ストレージ用のＳＤカードや電話認証用のＳＩＭカードなどのカードである。カード収納部１７は、図４〜図８に示すように、モジュール４の回路基板１４と下部ケース３との間に位置し、かつカード挿入口１７ａ側が機器ケース１内の電池収納部１０内に開放された状態で、下部ケース３内に設けられている。
【００１９】
このカード収納部１７は、図４〜図８に示すように、カード着脱補助部材１８を出没方向にガイドするガイド壁１７ｂ（図８参照）が、カード挿入口１７ａの両側部に対応した状態で、カード収納部１７の奥側（図５では左側）に向けて設けられた構成になっている。このカード収納部１７内には、図５および図６に示すように、カードコネクタ１９が設けられている。
【００２０】
このカードコネクタ１９は、図５および図６に示すように、メモリカード１６がスライド可能に挿入された際に、メモリカード１６と電気的に接続されるものであり、回路基板１４と電気的に接続された状態で、回路基板１４の裏面（図５では上面）に設けられている。また、このカードコネクタ１９は、カード着脱補助部材１８によって覆われた状態で、カード着脱補助部材１８がスライド可能に配置されるように構成されている。
【００２１】
この場合、カードコネクタ１９は、図５および図６に示すように、電池収納部１０側に位置する外端部１９ａが電池挿入口３ａの縁部に位置した状態で配置され、電池収納部１０と反対側に位置する奥端部１９ｂが回路基板１４と電気的に接続された状態で、回路基板１４に取り付けられている。このカードコネクタ１９は、その奥端部１９ｂにおける中間部に切欠き部（図示せず）が設けられ、この切欠き部内を後述するカード着脱補助部材１８の引出部２２がスライドするように構成されている。
【００２２】
一方、カード着脱補助部材１８は、図４〜図９に示すように、メモリカード１６をカード収納部１７から引き出す補助本体部２０と、この補助本体部２０によってメモリカード１６がカード収納部１７から引き出された際に、この引き出された外部側に位置するメモリカード１６の外端部１６ｂ側を露出させる方向に開閉可能に開く開閉部２１と、を有し、これらが合成樹脂によって一体に形成されている。
【００２３】
補助本体部２０は、図５〜図９に示すように、電池収納部１０と反対側に位置するメモリカード１６の奥端部１６ａ側に位置するほぼ半分を覆うほぼ平板状に形成され、その両側部に側板部２０ａが設けられ、この側板部２０ａがカード収納部１７のガイド壁１７ｂに沿ってスライドするように構成されている（図８参照）。この補助本体部２０の奥端部には、引出部２２が一体に設けられている。
【００２４】
この引出部２２は、図５〜図９に示すように、補助本体部２０と回路基板１４との間に挿入されたメモリカード１６の奥端部１６ａが当接するように構成されている。すなわち、この引出部２２は、補助本体部２０の奥端部における中間部に補助本体部２０の側板部２０ａと同じ方向に突出して設けられ、メモリカード１６の奥端部１６ａが当接した状態で、カード着脱補助部材１８と共にカードコネクタ１９の切欠き部（図示せず）内を移動するように構成されている。
【００２５】
これにより、この補助本体部２０は、図５および図６に示すように、補助本体部２０がカード収納部１７内から引き出される方向にスライドする際に、引出部２２がメモリカード１６の奥端部１６ａに当接して移動することにより、メモリカード１６をカード収納部１７内から引き出するように構成されている。
【００２６】
開閉部２１は、図４〜図９に示すように、電池収納部１０側に位置するメモリカード１６の外端部１６ｂ側に位置するほぼ半分を覆うほぼ平板状に形成され、その両側部に側板部２１ａが設けられ、この側板部２１ａがカード収納部１７のカード挿入口１７ａに沿ってスライドするように構成されている。この開閉部２１は、補助本体部２０にヒンジ部２４を介して連結されている。これにより、開閉部２１は、補助本体部２０と共にカード収納部１７内をその出没方向にスライドするように構成されている。
【００２７】
この場合、開閉部２１は、図４〜図６に示すように、メモリカード１６がカード収納部１７内に挿入されて、補助本体部２０がカード収納部１７内に押し込まれた際に、電池収納部１０側に位置する開閉部２１の外端部側がカード収納部１７のカード挿入口１７ａから外部に露出するように構成されている。また、この開閉部２１は、カード収納部１７のカード挿入口１７ａから外部に引き出された際に、電池収納部１０内に出没可能に突出するように構成されている。
【００２８】
さらに、開閉部２１の外端部には、図４〜図９に示すように、メモリカード１６の外部側に位置する外端部１６ｂに当接する押込み部２３が設けられている。これにより、開閉部２１は、メモリカード１６の外端部１６ｂ側を覆った状態で、カード収納部１７内に向けて押し込まれる際に、押込み部２３がメモリカード１６の外端部１６ｂに当接した状態でスライドすることにより、メモリカード１６をカード収納部１７内に向けて押し込むように構成されている。
【００２９】
ヒンジ部２４は、図４〜図６に示すように、開閉部２１と補助本体部２０との境界部にＶ字形状の溝をスライド方向と直交する方向に沿って形成することにより、肉厚が薄く形成されて屈曲するように構成されている。これにより、ヒンジ部２４は、上下方向に屈曲することにより、補助本体部２０と開閉部２１とを上下方向に回転可能に連結するように構成されている。
【００３０】
この場合、ヒンジ部２４は、図４〜図６に示すように、メモリカード１６がカード着脱補助部材１８と共にカード収納部１７内に挿入されて、補助本体部２０がカード収納部１７内に押し込まれた際に、カード収納部１７内に配置され、また開閉部２１がカード収納部１７のカード挿入口１７ａから外部に引き出された際に、カード収納部１７のカード挿入口１７ａから外部に露出するように構成されている。
【００３１】
これにより、開閉部２１は、図６に示すように、カード収納部１７のカード挿入口１７ａから外部に引き出されて、ヒンジ部２４がカード収納部１７のカード挿入口１７ａから外部に露出した際に、この外部に露出したヒンジ部２４を中心に上下方向に回転して、カード収納部１７のカード挿入口１７ａよりも外部に引き出されたメモリカード１６の外端部１６ｂ側を露出させるように構成されている。
【００３２】
この場合、開閉部２１は、図７および図８に示すように、メモリカード１６がカード収納部１７内に挿入されて、補助本体部２０がカード収納部１７内に押し込まれた際に、ロック部２５によってヒンジ部２４を中心とする回転動作が阻止されるように構成されている。このロック部２５は、開閉部２１の側板部２１ａに設けられた突起部２５ａと、カード収納部１７のカード挿入口１７ａに設けられた係止部２５ｂと、を備えている。
【００３３】
これにより、ロック部２５は、図７および図８に示すように、メモリカード１６がカード収納部１７内に挿入されて、開閉部２１の奥端部がカード収納部１７内に押し込まれた際に、開閉部２１の側板部２１ａの突起部２５ａがカード収納部１７のカード挿入口１７ａの係止部２５ｂに係止されることにより、ヒンジ部２４を中心とする開閉部２１の回転動作を阻止するように構成されている。
【００３４】
また、このロック部２５は、図７および図８に示すように、開閉部２１の奥端部がカード収納部１７のカード挿入口１７ａから外部に引き出された際に、開閉部２１の側板部２１ａの突起部２５ａがカード収納部１７のカード挿入口１７ａの係止部２５ｂから離脱することにより、ヒンジ部２４を中心に開閉部２１が回転動作可能な状態になるように構成されている。
【００３５】
ところで、この開閉部２１には、図４〜図６、および図９に示すように、カード収納部１７内からカード着脱補助部材１８を引き出すための引出操作部２６が設けられている。すなわち、この引出操作部２６は、カード収納部１７のカード挿入口１７ａから常に外部に露出している開閉部２１の個所に設けられた長方形状の指掛け孔であり、開閉部２１の上下に貫通して設けられている。
【００３６】
一方、このカード着脱補助部材１８は、図５および図６に示すように、スライド規制部２７によってスライド範囲が規制されるように構成されている。このスライド規制部２７は、補助本体部２０の外面に設けられた規制突起部２７ａと、下部ケース３内に設けられて補助本体部２０がカード収納部１７内に押し込まれた際に規制突起部２７ａが当接する第１規制部２７ｂと、下部ケース３内に設けられて補助本体部２０がカード収納部１７内から引き出された際に規制突起部２７ａが当接する第２規制部２７ｃと、を備えている。
【００３７】
すなわち、このスライド規制部２７は、図５に示すように、補助本体部２０がカード収納部１７内に押し込まれて、開閉部２１の側板部２１ａの突起部２５ａがカード収納部１７のカード挿入口１７ａの係止部２５ｂに係止された際に、規制突起部２７ａが第１規制部２７ｂに当接することにより、カード収納部１７に対するカード着脱補助部材１８の収納位置を規制するように構成されている。
【００３８】
また、このスライド規制部２７は、図６に示すように、補助本体部２０がカード収納部１７内から引き出され、開閉部２１の側板部２１ａの突起部２５ａがカード収納部１７のカード挿入口１７ａの係止部２５ｂから離脱して、ヒンジ部２４がカード収納部１７のカード挿入口１７ａよりも外部に露呈した際に、規制突起部２７ａが第２規制部２７ｃに当接することにより、カード収納部１７に対するカード着脱補助部材１８の引出位置を規制するように構成されている。
【００３９】
次に、このような携帯端末機のカード装着構造１５の作用について説明する。
カード装着構造１５にメモリカード１６を装着する場合には、予め、機器ケース１の下部ケース３から電池蓋９を取り外し、電池収納部１０に収納されている充電池１０ａを取出す。これにより、カード装着構造１５のカード着脱補助部材１８の開閉部２１が電池収納部１０内に引出可能な状態になる。
【００４０】
この状態で、開閉部２１の引出操作部２６に指先を掛けて開閉部２１を引き出す。すると、開閉部２１が電池収納部１０内に突出し、ヒンジ部２４がカード収納部１７のカード挿入口１７ａの外部に引き出される。そして、この引き出されたヒンジ部２４を中心に開閉部２１を回転させて開く。この状態で、メモリカード１６を開閉部２１側から補助本体部２０内に向けて挿入させてカードコネクタ１９と回路基板１４との間に挿入させる。
【００４１】
そして、メモリカード１６を更に押し込むと、メモリカード１６の奥端部１６ａが補助本体部２０の引出部２２に当接する。この状態で、ヒンジ部２４を中心に開閉部２１を回転させて閉じる。すると、メモリカード１６が補助本体部２０と開閉部２１とによって覆われる。この状態では、開閉部２１が電池収納部１０内に突出しているので、この突出した開閉部２１をカード収納部１７内に押し込む。
【００４２】
このときには、開閉部２１の押込み部２３がメモリカード１６の外端部１６ｂに当接した状態で押し込まれる。このため、メモリカード１６がカード着脱補助部材１８と共にカード収納部１７内に向けて押し込まれる。これにより、カード着脱補助部材１８がメモリカード１６と共にカード収納部１７内に押し込まれて、カード着脱補助部材１８がスライド規制部２７によって位置規制される。
【００４３】
すなわち、カード着脱補助部材１８の補助本体部２０に設けられた規制突起部２７ａが下部ケース３内に設けられた第１規制部２７ｂに当接する。これにより、カード収納部１７に対するカード着脱補助部材１８の収納位置が規制される。この状態では、メモリカード１６がカードコネクタ１９と電気的に接続されると共に、開閉部２１がロック部２５によってロックされる。
【００４４】
このときには、開閉部２１の側板部２１ａの突起部２５ａがカード収納部１７のカード挿入口１７ａの係止部２５ｂに係止される。これにより、ヒンジ部２４を中心とする開閉部２１の回転動作が阻止される。また、この状態では、カード着脱補助部材１８の開閉部２１が電池収納部１０内からカード収納部１７内に向けて押し込まれ、電池収納部１０の外周部に位置して露呈した状態になる。
【００４５】
このため、電池収納部１０に充電池１０ａを収納することができる。これにより、電池挿入口３ａから電池収納部１０内に充電池１０ａを挿入させて電池押え部３ｂで押える。この後、下部ケース３の電池挿入口３ａに電池蓋９を取り付ける。この状態では、充電池１０ａによってカード着脱補助部材１８の開閉部２１が押えられるので、不用意にカード着脱補助部材１８が抜け出してメモリカード１６とカードコネクタ１９との接続が断たれることがない。これにより、携帯端末機を使用することができる。
【００４６】
次に、このカード装着構造１５からメモリカード１６を取り外す場合について説明する。
この場合にも、予め、機器ケース１の下部ケース３から電池蓋９を取り外し、電池収納部１０に収納されている充電池１０ａを取出す。これにより、カード装着構造１５のカード着脱補助部材１８の開閉部２１が電池収納部１０内に引出可能な状態になる。
【００４７】
この状態で、開閉部２１の引出操作部２６に指先を掛けて開閉部２１を引き出す。すると、開閉部２１に対するロック部２５のロックが解除される。すなわち、開閉部２１の側板部２１ａの突起部２５ａがカード収納部１７のカード挿入口１７ａの係止部２５ｂから離脱する。これにより、ヒンジ部２４を中心に開閉部２１が回転動作可能な状態になる。
【００４８】
このときには、補助本体部２０の引出部２２がメモリカード１６の奥端部１６ａに当接した状態で、カード着脱補助部材１８がカード収納部１７内をスライドして引き出される。このため、メモリカード１６がカード着脱補助部材１８と共にカード収納部１７内から引き出され、カードコネクタ１９から離脱し、メモリカード１６とカードコネクタ１９との電気的な接続が断たれる。
【００４９】
そして、カード着脱補助部材１８の開閉部２１が電池収納部１０内に突出して、ヒンジ部２４がカード収納部１７のカード挿入口１７ａの外部に引き出されると、カード着脱補助部材１８がスライド規制部２７によって位置規制される。すなわち、カード着脱補助部材１８の補助本体部２０に設けられた規制突起部２７ａが下部ケース３内に設けられた第２規制部２７ｃに当接する。これにより、カード収納部１７に対するカード着脱補助部材１８の引出位置が規制される。
【００５０】
この状態で、ヒンジ部２４を中心にカード着脱補助部材１８の開閉部２１を回転させて開くと、図６に示すように、電池収納部１０側に位置するメモリカード１６の外端部１６ｂ側が露出する。この露出したメモリカード１６の外端部１６ｂ側を指先で摘まんで引き出すことにより、メモリカード１６を取出すことができる。これにより、メモリカード１６を簡単にかつ容易に交換することができる。
【００５１】
このように、この携帯端末機のカード装着構造１５によれば、メモリカード１６を挿脱可能に収納するカード収納部１７と、このカード収納部１７にスライド可能に設けられ、メモリカード１６と共にスライドするカード着脱補助部材１８と、を備え、このカード着脱補助部材１８が、メモリカード１６をカード収納部１７から引き出す補助本体部２０と、この補助本体部２０によってメモリカード１６がカード収納部１７から引き出された際に、この引き出された側に位置するメモリカード１６の外端部１６ｂを露出させる方向に開閉可能に開く開閉部２１と、を有しているので、メモリカード１６の着脱操作性が良く、カード装着構造１５全体をコンパクトに構成することができる。
【００５２】
すなわち、この携帯端末機のカード装着構造１５では、カード着脱補助部材１８の補助本体部２０によってメモリカード１６をカード収納部１７から引き出すことができ、この状態でカード着脱補助部材１８の開閉部２１を開いて、引き出されたメモリカード１６の外端部１６ｂ側を露出させることができる。また、カード着脱補助部材１８の開閉部２１をカード収納部１７内から引き出して開くことができるので、この状態でメモリカード１６を開閉部２１側から挿入させて押し込むことができ、これによりメモリカード１６をカード収納部１７内に挿入させることができる。
【００５３】
このため、このカード装着構造１５では、メモリカード１６をカード収納部１７に簡単にかつ容易に挿入させて収納することができると共に、カード収納部１７内に収納されたメモリカード１６を簡単にかつ容易に取出すことができるので、メモリカード１６の着脱操作性が良く、カード装着構造１５全体をコンパクトに構成することができ、これにより機器ケース１内にコンパクトに組み込むことができる。
【００５４】
この場合、補助本体部２０は、カード収納部１７内に収納されたメモリカード１６の奥端部１６ａに当接する引出部２２を有しているので、補助本体部２０をカード収納部１７内から引き出す際に、引出部２２がメモリカード１６の奥端部１６ａに当接してメモリカード１６を押し出すことができ、これによりメモリカード１６をカード収納部１７内から確実にかつ良好に取り出すことができる。
【００５５】
また、開閉部２１は、メモリカード１６をカード収納部１７内に押し込む押込み部２３を有しているので、開閉部２１を開いた状態でメモリカード１６が挿入され、この状態で開閉部２１を閉じてメモリカード１６の外端部１６ｂを開閉部２１が覆った際に、押込み部２３をメモリカード１６の外端部１６ｂに当接させることができ、この状態で開閉部２１がカード収納部１７内に押込まれると、押込み部２３によってメモリカード１６をカード収納部１７内に向けて確実にかつ良好に押し込むことができる。
【００５６】
また、カード着脱補助部材１８は、補助本体部２０に対して開閉部２１を開閉方向に回転可能に連結するヒンジ部２４を備えていることにより、カード着脱補助部材１８をカード収納部１７内から引き出した状態で、ヒンジ部２４を中心に開閉部２１を回転させて開閉することができるので、メモリカード１６の着脱操作性が良く、カード装着構造１５をコンパクトに構成することができる。
【００５７】
すなわち、このヒンジ部２４は、合成樹脂製のカード着脱補助部材１８の補助本体部２０と開閉部２１との境界部にＶ字形状の溝をスライド方向と直交する方向に沿って形成することにより、肉厚が薄く屈曲するように構成されているので、その構造が簡単で容易に製作することができる。
【００５８】
また、このヒンジ部２４は、カード着脱補助部材１８がカード収納部１７内に挿入された際にカード収納部１７内に収納されるので、開閉部２１の開閉動作を阻止することができ、またカード着脱補助部材１８がカード収納部１７内から引き出された際にカード収納部１７内から引き出されるので、開閉部２１を開閉可能な状態にすることができる。
【００５９】
この場合、このカード装着構造１５では、メモリカード１６がカード収納部１７内に挿入されて、補助本体部２０がカード収納部１７内に押し込まれた際に、ヒンジ部２４を中心とする開閉部２１の回転動作を阻止するロック部２５を備えているので、ヒンジ部２４が補助本体部２０と共にカード収納部１７内に押し込まれた際に、ヒンジ部２４を中心とする開閉部２１の回転動作を確実にかつ良好に阻止することができる。
【００６０】
また、このカード装着構造１５では、カード収納部１７に対してカード着脱補助部材１８をスライドさせるための引出操作部２６を備えていることにより、メモリカード１６がカード収納部１７内に挿入されて、補助本体部２０がカード収納部１７内に押し込まれていても、引出操作部２６によってカード着脱補助部材１８をカード収納部１７内から簡単にかつ容易に引き出することができるので、これによってもメモリカード１６の着脱操作性を向上させることができる。
【００６１】
さらに、このカード装着構造１５では、カード着脱補助部材１８のスライド範囲を規制するスライド規制部２７を備えていることにより、メモリカード１６をカード収納部１７内に挿入する際に、メモリカード１６を必要以上に押し込むことがなく、またメモリカード１６を引き出す際に、カード着脱補助部材１８がカード収納部１７内から完全に抜け出してしまうのを防ぐことができるので、これによってもメモリカード１６の着脱操作性を向上させることができる。
【００６２】
すなわち、このスライド規制部２７は、補助本体部２０がカード収納部１７内に押し込まれて、開閉部２１がロック部２５によってロックされ、メモリカード１６とカードコネクタ１９とが電気的に接続された際に、規制突起部２７ａが第１規制部２７ｂに当接することにより、カード収納部１７に対するカード着脱補助部材１８の収納位置を確実にかつ正確に規制することができるので、メモリカード１６とカードコネクタ１９とを正確にかつ確実に電気的に接続することができる。
【００６３】
また、このスライド規制部２７は、補助本体部２０がカード収納部１７内から引き出され、開閉部２１に対するロック部２５のロックが解除され、ヒンジ部２４がカード収納部１７のカード挿入口１７ａから外部に露呈した際に、規制突起部２７ａが第２規制部２７ｃに当接することにより、カード収納部１７に対するカード着脱補助部材１８の引出位置を確実にかつ正確に規制することができる。このため、カード着脱補助部材１８がカード収納部１７内から完全に抜け出さないようにすることができる。
【００６４】
また、この携帯端末機では、電池収納部１０が設けられた機器ケース１を備え、この機器ケース１内にカード装着構造１５が電池収納部１０と隣接して設けられているので、メモリカード１６を取り外す際に、カード着脱補助部材１８の開閉部２１を電池収納部１０内に突出させることができる。このため、カード装着構造１５を機器ケース１内にコンパクトに組み込むことができると共に、機器ケース１の小型化を図ることができる。
【００６５】
この場合、カード装着構造１５は、カード収納部１７内にメモリカード１６をカード着脱補助部材１８と共に収納した状態で、電池収納部１０内に充電池１０ａを収納することにより、この充電池１０ａによってカード着脱補助部材１８を押えることができるので、携帯情報端末機を使用している際に、不用意にカード着脱補助部材１８が抜け出してメモリカード１６とカードコネクタ１９との通電が断たれるのを確実に阻止することができ、これによりデータが破壊されるのを確実に防ぐことができる。
【００６６】
なお、上述した実施形態では、カード着脱補助部材１８を合成樹脂で形成し、補助本体部２０と開閉部２１との境界部にＶ字形状の溝を形成することにより、ヒンジ部２４を形成した場合について述べたが、これに限らず、カード着脱補助部材１８をウレタン樹脂やシリコーン樹脂などの弾力性を有する合成樹脂で形成し、補助本体部２０と開閉部２１との境界部に肉厚の薄い屈曲部をヒンジ部として形成した構成であっても良い。
【００６７】
また、上述した実施形態では、携帯端末機に適用した場合について述べたが、必ずしも携帯端末機である必要はなく、例えば携帯電話機や携帯型の情報処理装置などの各種の電子機器に広く適用することができる。
【００６８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６９】
（付記）
請求項１に記載の発明は、メモリカードを挿脱可能に収納するカード収納部と、前記カード収納部にスライド可能に設けられ、前記メモリカードと共にスライドするカード着脱補助部材と、を備え、前記カード着脱補助部材は、前記メモリカードを前記カード収納部から引き出す補助本体部と、前記メモリカードが前記補助本体部と共に前記カード収納部から引き出された際に、前記引き出された側に位置する前記メモリカードの一部を露出させる方向に開閉可能に開く開閉部と、を有していることを特徴とするカード装着構造である。
【００７０】
請求項２に記載の発明は、請求項１に記載のカード装着構造において、前記補助本体部は、前記カード収納部内に収納された前記メモリカードの奥端部に当接する引出部を有し、前記開閉蓋は、前記メモリカードを前記カード収納部内に押し込む押込み部を有していることを特徴とするカード装着構造である。
【００７１】
請求項３に記載の発明は、請求項１または請求項２に記載のカード装着構造において、前記カード着脱補助部材は、前記補助本体部に対して前記開閉部を開閉方向に回転可能に連結するヒンジ部を備えていることを特徴とするカード装着構造である。
【００７２】
請求項４に記載の発明は、請求項１または請求項２に記載のカード装着構造において、前記カード着脱補助部材は、弾力性を有する材料で形成されていることを特徴とするカード装着構造である。
【００７３】
請求項５に記載の発明は、請求項１〜請求項４のいずれかに記載のカード装着構造において、前記カード収納部に対して前記カード着脱補助部材をスライドさせるための引出操作部を備えていることを特徴とするカード装着構造である。
【００７４】
請求項６に記載の発明は、請求項１〜請求項５のいずれかに記載のカード装着構造において、前記カード着脱補助部材のスライド範囲を規制するスライド規制部を備えていることを特徴とするカード装着構造である。
【００７５】
請求項７に記載の発明は、請求項１〜請求項６のいずれかに記載されたカード装着構造を備えていることを特徴とする電子機器である。
【００７６】
請求項８に記載の発明は、請求項７に記載の電子機器において、電池収納部が設けられた機器ケースを備え、前記カード装着構造は前記機器ケース内に前記電池収納部と隣接して設けられていることを特徴とする電子機器である。
【符号の説明】
【００７７】
１  機器ケース
２  上部ケース
３  下部ケース
４  モジュール
１２  インナーケース
１４  回路基板
１５  カード装着構造
１６  メモリカード
１６ａ  奥端部
１６ｂ  外端部
１７  カード収納部
１７ａ  カード挿入口
１８  カード着脱補助部材
１９  カードコネクタ
２０  補助本体部
２１  開閉部
２２  引出部
２３  押込み部
２４  ヒンジ部
２５  ロック部
２６  引出操作部
２７  スライド規制部
【図１】
0006653989.tif 000002
【図２】
0006653989.tif 000003
【図３】
0006653989.tif 000004
【図４】
0006653989.tif 000005
【図５】
0006653989.tif 000006
【図６】
0006653989.tif 000007
【図７】
0006653989.tif 000008
【図８】
0006653989.tif 000009
【図９】
0006653989.tif 000010